(57)【要約】【課題】  容易に領収書やメモ用紙などを整理でき、コンパクトに保管できるシート状物の吊掛具を提供すること。【解決手段】  衣服用ハンガー状の腕部と、前記腕部の中間部に設けられた掛け部と、前記腕部の両端部を連絡しシート状物を吊下げる桟部とを有し、  前記腕部の一端は、前記桟部と係着し、  前記腕部の他端は、前記桟部と係脱可能に連結された、シート状物の吊掛具を提供する。  前記吊掛具は前記シート状物を区分けする区分けシートしてもよいし、該区分けシートは、前記桟部に吊下げられたシート状物を拘止する拘止部を有してもよい。【選択図】図２
2019147280.tif 000002
【特許請求の範囲】
【請求項１】
衣服用ハンガー状の腕部と、前記腕部の中間部に設けられた掛け部と、前記腕部の両端部を連絡しシート状物を吊下げる桟部とを有し、
前記腕部の一端は、前記桟部と係着し、
前記腕部の他端は、前記桟部と係脱可能に連結された、
シート状物の吊掛具。
【請求項２】
前記腕部が回転可能に前記掛け部と連結された、請求項１に記載のシート状物の吊掛具。
【請求項３】
前記桟部に吊下げられ前記シート状物を区分けする区分けシートを有する、請求項１又は２に記載のシート状物の吊掛具。
【請求項４】
前記区分けシートは、前記桟部に吊下げられたシート状物を拘止する拘止部を有する、請求項３に記載のシート状物の吊掛具。
【発明の詳細な説明】
【技術分野】
【０００１】
本発明は、シート状物の吊掛具、特に領収書やメモ用紙などの比較的小さな書類などを整理、保管できるシート状物の吊掛具に関する。
【背景技術】
【０００２】
従来、領収書やメモ用紙などは、折りたたまれて嵩高く積まれ、ノートに貼付され、あるいはファイルに綴じるなどして保管されていた。換言すれば、二次元的に整理されていた。そのような整理用具として、例えば、特許文献１の折り返し式短冊付き重ね貼りスクラップ帳や、特許文献２の領収書等の整理具がある。
【先行技術文献】
【特許文献】
【０００３】
【特許文献１】特開平１１−５３８６号公報
【特許文献２】特開２０１１−１６８０３３号公報
【発明の概要】
【発明が解決しようとする課題】
【０００４】
領収書などは日付順に並べて保管されることが望まれるが、後に領収書を見つけて、それを日付順に整理しようとするときに、すでに積まれ、貼付され、あるいは綴じられた領収書群に対して然るべきところに入れることは面倒であった。また、保管にスペースを取り、かつ見直し難い。
【０００５】
本発明は、前述の問題点を解決するためになされたものであり、容易に領収書やメモ用紙などを整理でき、コンパクトに保管できるシート状物の吊掛具を提供することを目的とする。
【課題を解決するための手段】
【０００６】
前記課題を解決するため、本発明は、衣服用ハンガー状の腕部と、前記腕部の中間部に設けられた掛け部と、前記腕部の両端部を連絡しシート状物を吊下げる桟部とを有し、
前記腕部の一端は、前記桟部と係着し、
前記腕部の他端は、前記桟部と係脱可能に連結された、
シート状物の吊掛具を提供する。
前記シート状物の吊掛具は、前記腕部が回転可能に前記掛け部と連結され、前記桟部は、吊下げられ前記シート状物を区分けする区分けシートを有することが好ましい。また、前記桟部に吊下げられたシート状物を拘止する拘止部を有することが好ましい。
【発明の効果】
【０００７】
本発明によれば、かさ張る領収書やメモなどを吊るして三次元的に整理、保管することにより、後から再整理しやすく保管スペースをとらないシート状物の吊掛具を提供することができる。
【図面の簡単な説明】
【０００８】
【図１】本技術の第１の実施の態様に係るシート状物の吊掛具を説明する図である。
【図２】本技術の第２の実施の態様に係るシート状物の吊掛具を説明する図である。
【図３】本技術の第２の実施の態様に係るシート状物の吊掛具を説明する図である。
【図４】本技術に用いる区分けシートを説明する図である。
【図５】本技術に用いる区分けシートを説明する図である。
【発明を実施するための形態】
【０００９】
以下、本発明の実施態様を、図面を参照しながら説明するが、代表的な実施態様を示したものであり、これにより本発明の範囲が狭く解釈されることはない。
【００１０】
＜実施態様１＞
図１は本発明の実施態様１を示し、本発明のシート状物の吊掛具１にスーパーマーケット等の店頭でもらうレシート２が吊下げられているところを示す。
【００１１】
図１において、衣服用ハンガー状の腕部１１は下方に適度に湾曲又は折り曲げられ、掛け部１２と桟部１３を有する。掛け部１２は腕部１１の長手方向の中間部にあり、掛け部１２にて吊掛具１を吊るしたときに衣服用ハンガーのようにバランスがとれる位置にある。掛け部１２は、例えば室内の様々な場所に吊掛具１を吊るすことができれば特に形状は問わず、フック、クリップ等でもよい。
【００１２】
腕部１１の右端には、桟部１３の左端が可動に連結する係着部１４を有する。係着部１４は、該部を起点として桟部１３の左端が上下左右、３６０度のうちいずれかの方向又はすべての方向に動くように構成される。よって、腕部１１及び桟部１３は別の構成部品として係着部１４にて接続されてもよいし、腕部１１及び桟部１３が柔軟性のある材質で一体的に成形されていてもよい。別の構成部品であるときは、材質は例えば木材、金属、プラスチック等であり、一体的に成形されるときは、材質は例えば柔軟性のあるプラスチックや針金のような金属素材等であり得る。
【００１３】
腕部１１の左端には、桟部１３の左端を係止できる係脱部１５を有する。係脱部１５は、腕部１１の左端に桟部１３の左端を掛止、嵌合、挟持、係着又は結着等を含む種々の止め方のいずれかができる構造を有する。例えば、腕部１１の左端は、上方開口向きのＵ字状、Ｃ字状、Ｖ字状等になっており、桟部１３を引っかけるようにして掛止できる。
【００１４】
レシート２を整理するときは、レシートに孔をあけ、係脱部１５から外した桟部１３の左端からレシート２の孔を通して桟部１３にレシート２をかけていけばよい。あるいは、レシート２に孔をあけずに桟部１３の左端に突き刺すようにしてもよい。
【００１５】
＜実施態様２＞
図２は本発明の実施態様２を示す。掛け部１２が腕部１１に連結する連結部１６は、腕部１１が水平に回転可能になっていることが好ましい。
桟部１３には、レシート２のほかに区分けシート１７がかけてある。区分けシート１７はその表面に日付やメモ書きを記入できるようになっている。区分けシート１７は、例えば月ごとにレシートを分けることに使用できる。
【００１６】
区分けシート１７には、例えば孔が２つ開いており紐１８を通せるようになっていてもよい。該孔と紐とでレシート２を束ねる拘止部を構成する。拘止部の紐１８を引っ張ることにより区分けシート１７同士が重なるように近づき、かさばるレシート２をまとめてコンパクトにすることができる。紐は適宜好みのものを使用することができる。
【００１７】
レシート２が、折って広げられたもの、シワがあるもの等である場合、図３の矢印で示すように、レシート２の復元力により区分けシート１７が矢印方向に動き、区分けシート１７の間が広がることがある。そこで、区分けシート１７が動かないように、紐に紐止めをつけておいて紐止めで止める、紐の両端の余り部分を結ぶ等して、広がることを抑えることができる。
【００１８】
＜実施態様３＞
図４に区分けシートの例を示す。区分けシート１７は、図４のように円形でもよいし、四角形、三角形等、あらゆる形をとり得る。円周近くの左右に孔１９が開いており、孔１９は拘止部１８の構成要素となる。また、区分けシート１７は、桟部１３にかける孔２０も有する。孔２０は、例えばスライド式に開口できるようになっている。図４（ａ）に示したように、孔２０の半円を形成する部分を含むシートの一部が円周に沿ってスライドする構造を有し得る。
【００１９】
図５に区分けシートの別の例を示す。区分けシート１７の上部には、上方開口の孔２０があいており、上方開口部の左右のシートを前後にずらし、桟部１３に区分けシート１７をはめるようにしてもよい。
なお、区分けシートは桟部１３に引っかけられる形状であればよく、例えばその他に、フック状等の形状を取り得る。
【００２０】
本発明の吊掛具を用いれば、レシート等をコンパクトにまとめることができる。また、区分けシートを付することにより、レシート等が整理しやすく見やすくなる。更に、整理したいレシートを後からレシート群の適切な箇所に整理することが容易である。
【符号の説明】
【００２１】
１：吊掛具、２：レシート、１１：腕部、１２：掛け部、１３：桟部、１４：係着部、１５：係脱部、１６：連結部、１７：区分けシート：１８：紐、１９、２０：孔
【図１】
2019147280.tif 000003
【図２】
2019147280.tif 000004
【図３】
2019147280.tif 000005
【図４】
2019147280.tif 000006
【図５】
2019147280.tif 000007